(57)【要約】【課題】容器外部に別に設けられたストローを使用せずに液体を吸引できる。【解決手段】容器は、容器本体１と、シール手段２と、吸引手段３とを備える。前記容器本体は、ボトム部１２と、該ボトム部の反対側にあって、開口が形成されているトップ部１４と、前記ボトム部と前記トップ部との間にある周壁部１３とを有し、且つ、前記ボトム部と前記トップ部と前記周壁部との間に液体５を収容する収容空間１１が囲まれる。前記シール手段は前記開口１４２を覆い、且つ、取り外し可能に前記トップ部に取り付けられている。前記吸引手段は前記容器本体と一体に作成され、且つ、前記開口から前記ボトム部側へ延伸して、内側に前記開口と前記収容空間とに連通する連通路３１が画成されている。【選択図】図３
2020121766.tif 000002
【特許請求の範囲】
【請求項１】
ボトム部と、該ボトム部の反対側にあって、開口が形成されているトップ部と、前記ボトム部と前記トップ部との間にある周壁部とを有し、且つ、前記ボトム部と前記トップ部と前記周壁部との間に液体を収容する収容空間が囲まれる容器本体と、
前記開口を覆い、且つ、取り外し可能に前記トップ部に取り付けられているシール手段と、
前記開口から前記ボトム部側へ延伸して、内側に前記開口と前記収容空間とに連通する連通路が画成されている吸引手段と、を備えたことを特徴とする容器。
【請求項２】
前記吸引手段に取り付けられる下固定部と、前記下固定部に接続され、且つ、伸縮可能に形成された伸縮部と、前記下固定部の反対側において前記伸縮部に接続されている露出端部とを有すると共に、全体が略管状に形成された伸縮手段を更に備えていることを特徴とする請求項１に記載の容器。
【請求項３】
前記吸引手段は、
前記容器本体の前記トップ部に接続している上接続端と、該上接続端から前記ボトム部側へ延伸する延伸部と、前記延伸部が前記周壁部と接続する２つの側接続端と、前記上接続端の反対側にあって前記収容空間に臨んで開口する下開口端と、を有するように構成されていると共に、前記延伸部は前記周壁部と共に前記連通路を内側に画成しており、
前記下開口端は、前記周壁部に隣接する部分が比較的に前記ボトム部に接近し、前記周壁部から離れた部分が比較的に前記ボトム部から離れたように形成されていることを特徴とする請求項１または請求項２に記載の容器。
【請求項４】
前記シール手段は、前記伸縮手段の前記露出端部に接着されており、
該シール手段が前記トップ部から取り外される際、前記伸縮手段の前記露出端部との接着により、前記伸縮手段の前記露出端部を前記吸引手段から露出するように引き出してから前記伸縮手段の前記露出端部からも取り外されるように構成されていることを特徴とする請求項２に記載の容器。
【請求項５】
前記吸引手段は、
前記容器本体の前記トップ部に接続している上接続部と、該上接続部から前記ボトム部側へ延伸する延伸部と、前記上接続部の反対側にあって前記収容空間に臨んで開口する下開口端と、を有するように構成されていると共に、前記延伸部は前記周壁部と共に前記連通路を内側に画成しており、
前記上接続部は、伸縮可能に構成され、且つ、伸長すると前記トップ部から突出するようになっており、
前記シール手段は、前記吸引手段の前記上接続部に接着されており、
該シール手段が前記トップ部から取り外される際、前記吸引手段の前記上接続部との接着により、前記吸引手段の前記上接続部を前記トップ部から突出させるように引き伸ばしてから前記吸引手段の前記上接続部からも取り外されるように構成されていることを特徴とする請求項１に記載の容器。
【請求項６】
前記吸引手段は、前記容器本体と一体に作成されたことを特徴とする請求項１に記載の容器。
【発明の詳細な説明】
【技術分野】
【０００１】
本発明は容器に関し、特には飲料を収容するための容器に関する。
【背景技術】
【０００２】
飲料を収容するための容器は、従来スチール缶やガラス瓶など様々な種類がある。その内、アルミパックを使用する容器は、優れた鮮度保持能力や少ない包装材料等のメリットがあるので、飲料包装用によく使われている。図１で示すように、従来のアルミパック６１は、中の液体を飲用するため、その包装外部にストロー６３及びストロー６３を格納するためのストローカバー６２が貼り付けられている（特許文献１参照）。
【先行技術文献】
【特許文献】
【０００３】
【特許文献１】台湾実用新案登録第Ｍ３３９２５７号明細書
【発明の概要】
【発明が解決しようとする課題】
【０００４】
しかしながら、ストロー６３及びストローカバー６２は、プラスチックが使われているため、ゴミ量が増えてしまう。また、アルミパック６１の容器の液体を飲用した後、リサイクルするためにはアルミパック６１と、ストローカバー６２と、ストロー６３とを分別しておく必要があり面倒である。更に、例えば運送の際に、ストローカバー６２がストロー６３と共にアルミパック６１から落ちてしまうなど、ストロー６３が紛失される可能性もある。ストロー６３がない場合、アルミパック６１をカットするか、もしくはストロー６３の代用品を用意しないと飲用できず、またアルミパック６１の底部の飲料が吸いにくいなどの不便がある。そこで、本願発明者は、飲料を収容するアルミパック容器において、外部にストローが設けられなくても液体を吸引できることが望ましいと考えた。
【０００５】
本発明の目的は、容器外部に別設されるストローを使用せずに液体を吸引できる容器を提供することにある。
【課題を解決するための手段】
【０００６】
従って、本発明の容器は容器本体と、シール手段と、吸引手段とを備える。前記容器本体は、ボトム部と、該ボトム部の反対側にあって、開口が形成されているトップ部と、前記ボトム部と前記トップ部との間にある周壁部とを有し、且つ、前記ボトム部と前記トップ部と前記周壁部との間に液体を収容する収容空間が囲まれる。前記シール手段は前記開口を覆い、且つ、取り外し可能に前記トップ部に取り付けられている。前記吸引手段は前記容器本体と一体に作成され、且つ、前記開口から前記ボトム部へ延伸して、内側に前記開口と前記収容空間とに連通する連通路が画成されている。
【発明の効果】
【０００７】
本発明の効果は、容器の内部に吸引手段を設けることにより、使用者が飲用時に容器外部に別設されるストローを使用せずに、シール手段を取り外すだけで、開口から液体を収容空間の底から吸引することができる。従って、本発明を使用することで飲用が便利になり、ゴミの量が減少し、リサイクル前の分別作業もスムーズに行うことが可能となる。
【図面の簡単な説明】
【０００８】
【図１】従来のアルミパックの斜視図である。
【図２】本発明の第１の実施例の斜視図である。
【図３】本発明の第２の実施例の側面断面図である。
【図４】本発明の第３の実施例の斜視図である。
【図５】本発明の第４の実施例の側面断面図である。
【図６】第２の実施例において、シール手段が取り外された際の側面断面図である。
【図７】第３の実施例の側面断面図である。
【図８】第３の実施例において、シール手段が取り外された際の側面断面図である。
【図９】第４の実施例の側面断面図である。
【図１０】第５の実施例の側面断面図である。
【発明を実施するための形態】
【０００９】
以下、各図面を参照して本発明に係る容器の例示的な実施形態について詳しく説明する。
【００１０】
（第一実施例）
まず、図２と図３に参照して本発明の第一実施例について説明する。図２は本発明の第一実施例の斜視図であり、図３は本発明の第一実施例の側面断面図である。第一実施例の容器は、容器本体１と、シール手段２と、吸引手段３とを備える。
【００１１】
図示のように、容器本体１は、ボトム部１２（図３参照）と、該ボトム部１２の反対側にあるトップ部１４と、ボトム部１２とトップ部１４との間にある周壁部１３とを有する。トップ部１４は平面視で矩形であり、その一角において内側の環状縁部１４１により画成された開口１４２が形成されている。ボトム部１２とトップ部１４と周壁部１３との間には、飲料（液体）５を収容し、且つ、開口１４２に連通する収容空間１１が囲まれる。
【００１２】
シール手段２は開口１４２を覆い、且つ、取り外し可能にトップ部１４に取り付けられている。
【００１３】
吸引手段３は、容器本体１と一体に作成され、且つ開口１４２を画成する環状縁部１４１からボトム部１２に延伸して、内側に開口１４２と収容空間１１とに連通する連通路３１が画成されている。
【００１４】
より詳しく言うと、吸引手段３は、容器本体１のトップ部１４に接続している上接続端３２と、該上接続端３２からボトム部１２側へ延伸する延伸部３３と、延伸部３３が周壁部１３と接続する２つの側接続端３４と、上接続端３２の反対側にあって収容空間１１に臨んで開口する下開口端３３２と、を有するように構成され、上記連通路３１は、延伸部３３と周壁部１３とにより囲まれるようにして画成されている。下開口端３３２は、周壁部１３に隣接する部分が比較的にボトム部１２に接近し、周壁部１３から離れた部分が比較的にボトム部１２から離れたようにボトム部１２に対して斜めに形成されている。
【００１５】
シール手段２は、飲料５が収容空間１１の外部にこぼれないように環状縁部１４１に連結して開口１４２を覆い、容器本体１を未開封の状態とする。飲料５を飲用する際には、使用者がシール手段２を環状縁部１４１より取り外して開口１４２を露出させるだけで、飲料５を収容空間１１の底から吸引手段３で収容空間１１の外部に吸い出すことができる。
【００１６】
この実施形態において、吸引手段３は周壁部１３と一体に作成され、周壁部１３と共に連通路３１が画成するように構成されており、これにより容器本体１の製造に使用される材料を節約することができる。また、図３に示されているように、この実施形態において、吸引手段３の下開口端３３２は、周壁部１３から離れた部分から周壁部１３に隣接する部分、すなわち周壁部１３とボトム部１２とが接続される部分までがカーブ状に形成されているが、本発明としてはこれに限らず、例えば周壁部１３及びボトム部１２に対して傾斜する直線に形成されてもよい。
【００１７】
（第２の実施例）
以下、図４〜図６を用いて本発明の第２の実施例について説明する。図４は第２の実施例の斜視図であり、図５では第２の実施例の側面断面図であり、図６はシール手段２が取り外された際の側面断面図である。図示のように、本発明の第２の実施例の構成において、上記第一実施例と異なる点は、容器本体１の吸引手段３の延伸部３３の上部に更に伸縮手段４を備えることである。
【００１８】
伸縮手段４は、吸引手段３に取り付けられている下固定部４１と、下固定部４１に接続され、且つ、伸縮可能に形成された伸縮部４２と、下固定部４１の反対側において伸縮部４２に接続されている露出端部４３とを有すると共に、全体が略管状に形成されている。また、伸縮部４２は、露出端部４３と共に吸引手段３の延伸部３３に挿入され、且つ、下固定部４１から容器本体１の外部に延出されるように設けられる。シール手段２は、複数の接着点Ｐにおいて弱接着性の接着剤で取り外し可能に露出端部４３に接着される。また、シール手段２は、トップ部１４に連結される固定端２１と、固定端２１の反対側にあり、周壁部１３に連結され、且つ、取り外されると開口１４２を露出させる自由端２２とを具える。
【００１９】
図５に示されるように、容器本体１が未開封の状態の場合、伸縮部４２が吸引手段３の延伸部３３に対してボトム部１２の方向に圧縮されるので、露出端部４３もボトム部１２に近づき、更にシール手段２により露出端部４３が容器本体１からはみ出さないように連通路３１内に抑えられる。
【００２０】
図６に示されるように、容器本体１の飲料５を飲用する場合は、シール手段２の自由端２２が容器本体１の周壁部１３から取り外されることで、露出端部４３との弱い接着により、露出端部４３を吸引手段３から露出するように引き出してから露出端部４３からもシール手段２が取り外される。従って、使用者は伸縮手段４の露出端部４３を素手で取り出す必要がなくなっても、露出端部４３を取り出して飲料５を飲用できるので、便利で、且つ衛生的に露出端部を扱えるメリットがある。
【００２１】
（第３の実施例）
以下、図７及び図８を用いて本発明の第３の実施例について説明する。図７は第３の実施例の側面断面図であり、図８はシール手段２が取り外された際の側面断面図である。
【００２２】
図示されているように、この第３の実施例において、吸引手段３は、容器本体１のトップ部１４に接続している上接続部３５と、該上接続部３５からボトム部１２側へ延伸する延伸部３３と、上接続部３５の反対側にあって収容空間１１に臨んで開口する下開口端３３２と、を有するように構成されていると共に、延伸部３３は周壁部１３と共に連通路３１を内側に画成している。
【００２３】
そして、この実施例において、吸引手段３の上接続部３５は、伸縮可能に構成され、且つ、伸長するとトップ部１４から突出するようになっている。
【００２４】
すなわち、この実施例において、シール手段２は、図７に示されているように、吸引手段３の上接続部３５に接着されており、該シール手段２がトップ部１４から取り外される際、図８に示されるように、吸引手段３の上接続部３５との接着により、吸引手段３の上接続部３５をトップ部１４から突出させるように引き伸ばしてから吸引手段３の上接続部３５からも取り外されるように構成されている。
【００２５】
このように、この第３の実施例においても、容器本体１の飲料５を飲用する場合は、上記第２の実施例と同様で、シール手段２の自由端２２を周壁部１３から取り外すことで、シール手段２の自由端２と吸引手段３の上接続部３５との弱い接着により、上接続部３５を引き伸ばすことができるので、容器本体１のトップ部１４から突出する上接続部３５で容器本体１内に収容される飲料（液体）５を吸引することができる。
【００２６】
（第４の実施例）
以下、図９を用いて本発明の第４の実施例について説明する。図９は第４の実施例の側面断面図である。上記第２の実施例と異なる点は、連通路３１が、延伸部３３と周壁部１３とにより画成されるのではなく、吸引手段３自体で画成されること、及び、下開口端３３２が、ボトム部１２と一定な距離を保ったまま収容空間１１の底側に位置され、ボトム部１２の延伸方向と平行するように形成されていることにある。さらに、シール手段２の固定端２１と自由端２２の両端が共にトップ部１４に連結されるように設けられている。容器本体１の飲料５を飲用する場合は、上記第２の実施例と同様で、シール手段２の自由端２２がトップ部１４から取り外されることで、露出端部４３との弱い接着により、露出端部４３をも吸引手段３から露出するように引き出してから露出端部４３からもシール手段２が取り外されるので、露出端部４３を用いて容器本体１内の飲料５を飲用することができる。
【００２７】
上記各実施例の説明のように、連通路３１は吸引手段３と周壁部１３とにより画成されても、吸引手段３自体のみで画成されても良い。
【００２８】
（第５の実施例）
以下、図１０を用いて本発明の第５の実施例について説明する。図１０は第５の実施例の側面断面図である。第５の実施例は第４の実施例と類似するが、異なる点は、シール手段２及び吸引手段３の形態として上記第一実施例のものを適用したことにある。当然ながら、シール手段２の形態も該第４の実施例のと同じものとしても良い。つまり、図９に示されたようにシール手段２をトップ部１４に連結させても良い。但し、上記に限らず、シール手段２を上記以外の形態で取り外し可能に開口１４２を覆うように設けても良い。飲料５を飲用する際には、使用者がシール手段２を環状縁部１４１よりトップ部１４から取り外して開口１４２より吸引手段３を露出させるだけで、飲料５を収容空間１１の底から吸引手段３で外部に出せる。
【００２９】
［実施例の技術的効果］
本発明に係る容器は、容器本体1の内部に吸引手段３を設けておけば、使用者が飲用時に外部で別設されたストローを使用せずにシール手段２を取り外して開口１４２を露出させるだけで、開口１４２から飲料５を収容空間１１の底から外部に出せる。従って、本発明を使用することで飲用が便利になり、ゴミの量が減少し、リサイクル前の分別作業もスムーズに行うことが可能となる。
【００３０】
上記においては、説明のため、本発明の全体的な理解を促すべく多くの具体的な詳細が示された。しかしながら、当業者であれば、例えば上記各実施例を組み合わせることで、他の実施例が具体的な詳細を示さなくとも実施され得ることが明らかである。
【００３１】
以上、本発明の好ましい実施例及び変化例を説明したが、本発明はこれらに限定されるものではなく、最も広い解釈の精神および範囲内に含まれる様々な構成として、全ての修飾および均等な構成を包含するものとする。
【符号の説明】
【００３２】
１  容器本体
１１  収容空間
１２  ボトム部
１３  周壁部
１４  トップ部
１４１  環状縁部
１４２  開口
２  シール手段
２１  固定端
２２  自由端
３  吸引手段
３１  連通路
３２  上接続端
３３  延伸部
３３２  下開口端
３４  側接続端
３５  上接続部
４  伸縮手段
４１  下固定部
４２  伸縮部
４３  露出端部
５  飲料（液体）
６１  アルミパック
６２  ストローカバー
６３  ストロー
Ｐ  接着点
【図１】
2020121766.tif 000003
【図２】
2020121766.tif 000004
【図３】
2020121766.tif 000005
【図４】
2020121766.tif 000006
【図５】
2020121766.tif 000007
【図６】
2020121766.tif 000008
【図７】
2020121766.tif 000009
【図８】
2020121766.tif 000010
【図９】
2020121766.tif 000011
【図１０】
2020121766.tif 000012